(57)【要約】  複数の無線通信方式の変調信号を送信及び受信することができる通信端末が、ネットワークに存在するプロキシサーバーとネゴシエーションを行うことで、ネットワークから効率よくデータを送信するように、複数の通信局が複数の変調信号を送信し、通信端末は、複数の変調信号を受信し、データを得ることで、周波数利用効率を向上させることができる。
2017017883.tif 000002
【特許請求の範囲】
【請求項１】
複数の個別ネットワークを介して、データを送受信する端末装置であって、
前記端末装置が接続可能であって通信方式が互いに異なるＮ個の通信局（Ｎは２以上の整数）のうち、前記端末装置とリンクが確立されたＭ個の通信局（Ｍは２以上Ｎ以下の整数）をそれぞれ含むＭ個の個別ネットワークに関するリンク情報を、いずれかの個別ネットワークを介して送信し、コンテンツの送信要求を前記いずれかの個別ネットワークを介して送信する送信部と、
前記リンク情報に基づいて選択されたＬ個の個別ネットワーク（Ｌは２以上Ｍ以下の整数）を介して、前記コンテンツに関するデータを受信し、前記受信されたデータをＬ個の通信方式毎に受信処理を行う受信部と、
前記受信処理されたデータを統合し、前記コンテンツを得る受信データ解析部と、
を具備する端末装置。
【請求項２】
前記コンテンツに関するデータは、前記コンテンツの本体データの情報ビットを含む情報パケットと、前記コンテンツの本体データの誤り訂正のために付加されたパリティビットを含むパリティパケットとを含み、
前記受信部は、前記情報パケットと前記パリティパケットとを、前記Ｌ個の個別ネットワークのうち、互いに異なる個別ネットワークを介して受信する、
請求項１に記載の端末装置。
【請求項３】
前記受信部は、前記情報パケットを、前記Ｌ個の個別ネットワークのうち、複数の個別ネットワークを介して受信する、
請求項２に記載の端末装置。
【請求項４】
前記Ｌ個の個別ネットワークの選択は、前記Ｎ個の個別ネットワークよりも上流に位置する上位ネットワークにより行われる、
請求項１に記載の端末装置。
【請求項５】
前記コンテンツに関するデータは、前記上位ネットワークにより、前記Ｌ個の個別ネットワークに振り分けられ、
前記受信部は、個別ネットワーク毎に異なる通信方式に応じて送信された前記コンテンツに関するデータを受信する、
請求項４に記載の端末装置。
【請求項６】
前記コンテンツの本体データに施される誤り訂正符号化の方式は、前記上位ネットワークにより決定される、
請求項４又は５に記載の端末装置。
【請求項７】
前記送信部は、前記リンク情報を送信する前に、前記端末装置がアクセス可能なＮ個の通信局に関するアクセス情報を送信し、
前記アクセス情報は、前記上位ネットワークに登録される、
請求項４に記載の端末装置。
【請求項８】
前記リンク情報に基づいて選択されたＬ個の個別ネットワークは、前記上位ネットワークにより動的に設定される、
請求項４に記載の端末装置。
【請求項９】
前記複数の個別ネットワークは、同じ通信方式の個別ネットワークを２個以上含む、
請求項１に記載の端末装置。
【請求項１０】
複数の個別ネットワークを介して、データを送受信する端末装置における通信方法であって、
前記端末装置が接続可能であって通信方式が互いに異なるＮ個の通信局（Ｎは２以上の整数）のうち、前記端末装置とリンクが確立されたＭ個の通信局（Ｍは２以上Ｎ以下の整数）をそれぞれ含むＭ個の個別ネットワークに関するリンク情報を、いずれかの個別ネットワークを介して送信し、コンテンツの送信要求を前記いずれかの個別ネットワークを介して送信し、
前記リンク情報に基づいて選択されたＬ個の個別ネットワーク（Ｌは２以上Ｍ以下の整数）を介して、前記コンテンツに関するデータを受信し、前記受信されたデータをＬ個の通信方式毎に受信処理を行い、
前記受信処理されたデータを統合し、前記コンテンツを得る、
通信方法。
【請求項１１】
前記コンテンツに関するデータは、前記コンテンツの本体データの情報ビットを含む情報パケットと、前記コンテンツの本体データの誤り訂正のために付加されたパリティビットを含むパリティパケットとを含み、
前記情報パケットと前記パリティパケットとを、前記Ｌ個の個別ネットワークのうち、互いに異なる個別ネットワークを介して受信する、
請求項１０に記載の通信方法。
【請求項１２】
前記情報パケットを、前記Ｌ個の個別ネットワークのうち、複数の個別ネットワークを介して受信する、
請求項１１に記載の通信方法。
【請求項１３】
前記Ｌ個の個別ネットワークの選択は、前記Ｍ個の個別ネットワークよりも上流に位置する上位ネットワークにより行われる、
請求項１０に記載の通信方法。
【請求項１４】
前記コンテンツに関するデータは、前記上位ネットワークにより、前記Ｌ個の個別ネットワークに振り分けられ、
個別ネットワーク毎に異なる通信方式に応じて送信された前記コンテンツに関するデータを受信する、
請求項１３に記載の通信方法。
【請求項１５】
前記コンテンツの本体データに施される誤り訂正符号化の方式は、前記上位ネットワークにより決定される、
請求項１３又は１４に記載の通信方法。
【請求項１６】
前記リンク情報を送信する前に、前記端末装置がアクセス可能なＮ個の通信局に関するアクセス情報を送信し、
前記アクセス情報は、前記上位ネットワークに登録される、
請求項１３に記載の通信方法。
【請求項１７】
前記リンク情報に基づいて選択されたＬ個の個別ネットワークは、前記上位ネットワークにより動的に設定される、
請求項１３に記載の通信方法。
【請求項１８】
前記複数の個別ネットワークは、同じ通信方式の個別ネットワークを２個以上含む、
請求項１０に記載の通信方法。
【発明の詳細な説明】
【技術分野】
【０００１】
本開示は、複数の無線通信方式を用いてデータを送信及び受信する端末装置及び通信方法に関する。
【背景技術】
【０００２】
無線通信において、通信端末が、ネットワークから効率よくデータを得る方法は、周波数資源を有効に利用する点で、重要である。このとき、通信端末が、複数の無線通信方式に対応している場合、この複数の無線通信方式を効率よく活用することが望まれる。【０００３】
例えば、特許文献１では、複数の無線通信方式にそれぞれ対応する複数のネットワークを用いて端末に通信サービスを提供する移動通信システムが開示されている。ここでは、各ネットワークに対して通信端末の位置情報を登録することにより、通信端末が接続するネットワークを切り替える方法が開示されている。
【先行技術文献】
【特許文献】
【０００４】
【特許文献１】特許第４６８８６３８号公報
【発明の概要】
【０００５】
しかしながら、特許文献１では、各ネットワークに対して端末の位置情報の登録を行うことなく、端末が接続するネットワークを切り替える方法については、何ら検討されていない。
【０００６】
本開示の一態様は、複数の無線通信方式を用いて複数の変調信号を送信及び受信することができる端末装置が、各ネットワークに対して端末装置の位置情報の登録を行うことなく、複数のネットワークを介してデータを受信できる端末装置及び通信方法を提供する。
【０００７】
本開示の一態様に係る端末装置は、複数の個別ネットワークを介して、データを送受信する端末装置であって、前記端末装置が接続可能であって通信方式が互いに異なるＮ個の通信局（Ｎは２以上の整数）のうち、前記端末装置とリンクが確立されたＭ個の通信局（Ｍは２以上Ｎ以下の整数）をそれぞれ含むＭ個の個別ネットワークに関するリンク情報を、いずれかの個別ネットワークを介して送信し、コンテンツの送信要求を前記いずれかの個別ネットワークを介して送信する送信部と、前記リンク情報に基づいて選択されたＬ個の個別ネットワーク（Ｌは２以上Ｍ以下の整数）を介して、前記コンテンツに関するデータを受信し、前記受信されたデータをＬ個の通信方式毎に受信処理を行う受信部と、前記受信処理されたデータを統合し、前記コンテンツを得る受信データ解析部と、を具備する。
【０００８】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【０００９】
本開示の一態様によれば、複数の無線通信方式を用いて複数の変調信号を送信及び受信することができる端末装置が、各ネットワークに対して端末装置の位置情報の登録を行うことなく、複数のネットワークを介してデータを受信できる。
【図面の簡単な説明】
【００１０】
【図１】実施の形態１における通信状態の一例を示す図
【図２】端末の構成の一例を示す図
【図３】無線通信方式の一例を示す表を示す図
【図４】プロキシサーバーの構成の一例を示す図
【図５】実施の形態１における通信状態の一例を示す図
【図６】実施の形態１におけるコンテンツ入手方法の手順を示すシーケンス図
【図７】コンテンツの送信方法の一例を示す図
【図８】実施の形態２における通信状態の一例を示す図
【図９】第ｉの通信局を含む第ｉの個別ネットワークの構成の一例を示す図
【図１０】実施の形態２における通信状態の一例を示す図
【図１１】実施の形態２における初期設定処理の一例を示すシーケンス図
【図１２】実施の形態２におけるコンテンツ入手方法の手順を示すシーケンス図
【発明を実施するための形態】
【００１１】
以下、本発明の実施の形態について、図面を参照して詳細に説明する。なお、以下に説明する各実施形態は一例であり、本発明はこれらの実施形態により限定されるものではない。
【００１２】
（実施の形態１）
図１は、本実施の形態における通信状態の一例を示す図である。端末１１０は、複数の無線通信方式の送信及び受信に対応することができる端末である。このとき、端末１１０が対応することのできる無線通信方式の個数をＮ（Ｎは２以上の整数、または、Ｎは３以上の整数）個とする。Ｎ個の互いに異なる無線通信方式のそれぞれに対し、「第１の無線通信方式」、「第２の無線通信方式」、「第３の無線通信方式」、・・・、「第Ｎの無線通信方式」と名付ける。すなわち、「第ｉの無線通信方式」が存在することになる（ｉは１以上Ｎ以下の整数とする）。
【００１３】
図１に示すように、端末１１０は、「第１の無線通信方式」を用いて、第１の通信局１０７＿１と通信を行う。なお、図１の矢印１０８＿１は、端末１１０が変調信号を送信し、第１の通信局１０７＿１がその変調信号を受信することを意味している。また、矢印１０９＿１は、第１の通信局１０７＿１が変調信号を送信し、端末１１０がその変調信号を受信することを意味している。
【００１４】
そして、端末１１０は、「第２の無線通信方式」を用いて、第２の通信局１０７＿２と通信を行う。なお、図１の矢印１０８＿２は、端末１１０が変調信号を送信し、第２の通信局１０７＿２がその変調信号を受信することを意味している。そして、矢印１０９＿２は、第２の通信局１０７＿２が変調信号を送信し、端末１１０がその変調信号を受信することを意味している。
【００１５】
また、端末１１０は、「第Ｎの無線通信方式」を用いて、第Ｎの通信局１０７＿Ｎと通信を行う。なお、図１の矢印１０８＿Ｎは、端末１１０が変調信号を送信し、第Ｎの通信局１０７＿Ｎがその変調信号を受信することを意味している。そして、矢印１０９＿Ｎは、第Ｎの通信局１０７＿Ｎが変調信号を送信し、端末１１０がその変調信号を受信することを意味している。
【００１６】
上述したように、端末１１０は、「第ｉの無線通信方式」を用いて、第ｉの通信局１０７＿ｉと通信を行うものとする（ただし、ｉは１以上Ｎ以下の整数とする）。
【００１７】
第１の通信局１０７＿１は、プロキシサーバー１０４と通信を行う。したがって、第１の通信局１０７＿１は、プロキシサーバー１０４へデータを送信することもあれば（１０５＿１）、プロキシサーバー１０４からデータを受信することもある（１０６＿１）。
【００１８】
同様に、第２の通信局１０７＿２は、プロキシサーバー１０４と通信を行う。したがって、第２の通信局１０７＿２は、プロキシサーバー１０４へデータを送信することもあれば（１０５＿２）、プロキシサーバー１０４からデータを受信することもある（１０６＿２）。
【００１９】
そして、第Ｎの通信局１０７＿Ｎは、プロキシサーバー１０４と通信を行う。したがって、第Ｎの通信局１０７＿Ｎは、プロキシサーバー１０４へデータを送信することもあれば（１０５＿Ｎ）、プロキシサーバー１０４からデータを受信することもある（１０６＿Ｎ）。
【００２０】
上述したように、第ｉの通信局１０７＿ｉは、プロキシサーバー１０４と通信を行い、第ｉの通信局１０７＿ｉは、プロキシサーバー１０４へデータを送信したり、プロキシサーバー１０４からデータを受信したりすることがある（ただし、ｉは１以上Ｎ以下の整数とする）。
【００２１】
プロキシサーバー１０４は、前にも述べたように、第ｉの通信局１０７＿ｉ（ｉは１以上Ｎ以下の整数）と通信を行うとともに、サーバー１０２とも通信を行う。したがって、プロキシサーバー１０４は、サーバー１０２へデータを送信することもあれば（１０３＿１）、サーバー１０２からデータを受信することもある（１０３＿２）。
【００２２】
サーバー１０２は、前にも述べたように、プロキシサーバー１０４と通信を行うとともに、ネットワークに対し、データを送信することもあり（１０１＿１）、ネットワークからデータを受信することもある（１０１＿２）。
【００２３】
次に、図１を用いて、具体的な通信の例として、端末１１０がネットワークからデータを取得する方法について、２通りの方法を説明する。
【００２４】
［ネットワークからデータを取得する第１の方法］
まず、端末１１０がネットワークからデータを取得する第１の方法を説明する。端末１１０が、ネットワーク上にあるコンテンツ（またはアプリケーション）＃Ａを入手する場合について説明する。端末１１０は、プロキシサーバー１０４およびサーバー１０２を経由して、ネットワークからコンテンツ（またはアプリケーション）＃Ａを入手する。このとき、図１の例では、端末１１０が、第１の通信局１０７＿１、第２の通信局１０７＿２、・・・、第Ｎの通信局１０７＿ＮのＮ個の通信局のうち、複数の通信局から、コンテンツ（またはアプリケーション）＃Ａのデータを入手することになる。
【００２５】
このとき、この複数の通信局を選択する権限は、以下にそれぞれ説明するように、端末１１０が保有していてもよいし、プロキシサーバー１０４が保有していてもよい。
【００２６】
＜プロキシサーバー１０４が選択権限を保有している場合＞
通信局の選択権限を、プロキシサーバー１０４が保有している場合について説明する。この場合、プロキシサーバー１０４は、コンテンツ（またはアプリケーション）＃Ａのデータを伝送するための複数の通信局を選択する。そして、プロキシサーバー１０４は、コンテンツ（またはアプリケーション）＃Ａのデータを、選択した複数の通信局に対して振り分けを行うことになる。
【００２７】
例えば、プロキシサーバー１０４がコンテンツ（またはアプリケーション）＃Ａのデータを伝送するために第１の通信局１０７＿１と第２の通信局１０７＿２を選択した場合、プロキシサーバー１０４は、サーバー１０２を経由して取得したコンテンツ（またはアプリケーション）＃Ａのデータを、１０６＿１、１０６＿２に振り分けることになる。
【００２８】
＜端末１１０が選択権限を保有している場合＞
通信局の選択権限を、端末１１０が保有している場合について説明する。この場合、端末１１０は、コンテンツ（またはアプリケーション）＃Ａのデータを得るための複数の通信局を選択する。そして、端末１１０は、いずれかの通信局を通して、プロキシサーバー１０４に対し、コンテンツ（またはアプリケーション）＃Ａのデータを得るために選択した複数の通信局を示す情報（グループ情報）を伝送する。そして、プロキシサーバー１０４は、グループ情報に基づき、選択された複数の通信局に対し、コンテンツ（またはアプリケーション）＃Ａのデータを振り分ける。
【００２９】
例えば、第１の通信局１０７＿１と第２の通信局１０７＿２が選択された場合、プロキシサーバー１０４は、サーバー１０２を経由して取得したコンテンツ（またはアプリケーション）＃Ａのデータを、１０６＿１、１０６＿２に振り分けることになる。
【００３０】
［ネットワークからデータを取得する第２の方法］
次に、端末１１０がネットワークからデータを取得する第２の方法を説明する。端末１１０が、ネットワーク上にある複数のコンテンツ（またはアプリケーション）を入手する場合について説明する。例えば、端末１１０が、コンテンツ（またはアプリケーション）＃Ａとコンテンツ（またはアプリケーション）＃Ｂとを入手するものとする。このとき、第２の方法では、端末１１０は、コンテンツ（またはアプリケーション）＃Ａを一つ以上の通信局から入手し、コンテンツ（またはアプリケーション）＃Ｂを一つ以上の通信局から入手することになる。このとき、コンテンツ（またはアプリケーション）＃Ａを取得するための一つ以上の通信局と、コンテンツ（またはアプリケーション）＃Ｂを取得するための一つ以上の通信局とは、一部が重複していてもよいし、全てが重複していてもよい。
【００３１】
上述のように、端末１１０が複数のコンテンツ（またはアプリケーション）を、複数の通信局から入手する場合について説明する。このとき、複数の通信局を選択する権限、および／または、選択された複数の通信局のうち、各コンテンツをどの通信局から端末が得るかについての割り当ての権限は、以下に説明するように、端末１１０が保有していてもよいし、プロキシサーバー１０４が保有していてもよい。
【００３２】
＜プロキシサーバー１０４が選択権限を保有している場合＞
コンテンツ（またはアプリケーション）＃Ａのデータを送信する通信局の選択権限、および／または、コンテンツ（またはアプリケーション）＃Ｂのデータを送信する通信局の選択権限を、プロキシサーバー１０４が保有している場合について説明する。この場合、プロキシサーバー１０４は、コンテンツ（またはアプリケーション）＃Ａのデータを送信する送信局として、一つ以上の通信局を選択する。また、プロキシサーバー１０４は、コンテンツ（またはアプリケーション）＃Ｂのデータを送信する送信局として、一つ以上の通信局を選択する。そして、プロキシサーバー１０４は、コンテンツ（またはアプリケーション）＃Ａのデータを、コンテンツ（またはアプリケーション）＃Ａ向けに選択した一つ以上の通信局に振り分け、および／または、コンテンツ（またはアプリケーション）＃Ｂのデータを、コンテンツ（またはアプリケーション）＃Ｂ向けに選択した一つ以上の通信局に振り分ける。
【００３３】
例えば、プロキシサーバー１０４がコンテンツ（またはアプリケーション）＃Ａのデータを伝送するために第１の通信局１０７＿１と第２の通信局１０７＿２を選択し、コンテンツ（またはアプリケーション）＃Ｂのデータを伝送するために第Ｎの通信局１０７＿Ｎを選択したものとする。この場合、プロキシサーバー１０４は、サーバー１０２を経由して得たコンテンツ（またはアプリケーション）＃Ａのデータを、１０６＿１、１０６＿２に振り分けることになる。そして、プロキシサーバー１０４は、サーバー１０２を経由して得たコンテンツ（またはアプリケーション）＃Ｂのデータを１０６＿Ｎに振り分けることになる。
【００３４】
＜端末１１０が選択権限を保有している場合＞
端末１１０が、コンテンツ（またはアプリケーション）＃Ａのデータを送信する通信局の選択権限、および／または、コンテンツ（またはアプリケーション）＃Ｂにデータ送信する通信局の選択権限を保有している場合について説明する。この場合、端末１１０は、コンテンツ（またはアプリケーション）＃Ａのデータを得るために一つ以上の通信局を選択する。また、端末１１０は、コンテンツ（またはアプリケーション）＃Ｂのデータを得るために一つ以上の通信局を選択する。そして、端末１１０は、いずれかの通信局を通して、プロキシサーバー１０４に対し、コンテンツ（またはアプリケーション）＃Ａのデータを得るために選択した通信局を示す情報（グループ情報Ａ）、および／または、コンテンツ（またはアプリケーション）＃Ｂを得るために選択した通信局を示す情報（グループ情報Ｂ）を伝送する。そして、プロキシサーバー１０４は、グループ情報Ａにもとづいて、通信局に対し、コンテンツ（またはアプリケーション）＃Ａのデータを振り分ける。また、プロキシサーバー１０４は、グループ情報Ｂにもとづいて、通信局に対し、コンテンツ（またはアプリケーション）＃Ｂのデータを振り分ける。
【００３５】
例えば、コンテンツ（またはアプリケーション）＃Ａのデータを得るために選択された通信局が、第１の通信局１０７＿１と第２の通信局１０７＿２である場合、プロキシサーバー１０４は、サーバー１０２を経由して得たコンテンツ（またはアプリケーション）＃Ａのデータを、１０６＿１、１０６＿２に振り分ける。また、コンテンツ＃Ｂのデータを得るために選択された通信局が、第Ｎの通信局１０７＿Ｎである場合、プロキシサーバー１０４は、サーバー１０２を経由して得たコンテンツ（またはアプリケーション）＃Ｂのデータを、１０７＿Ｎに振り分ける。
【００３６】
図２は、本実施の形態に係る端末１１０の構成の一例を示す図である。
【００３７】
送信制御部２０５は、送信制御情報２０４を入力とし、送信制御情報２０４に基づいた送信制御信号２０６を出力する。送信制御情報２０４は、例えば、端末が各送信部から送信するデータのために使用する誤り訂正符号化、変調信号を生成するための変調方式（マッピング）、周波数変換、増幅等の各無線通信方式の送信用の処理のための情報を含む。なお、詳細の動作については、後で説明する。
【００３８】
受信制御部２１７は、受信制御情報２１６を入力とし、受信制御情報２１６に基づいた受信制御信号２１８を出力する。受信制御情報２１６は、例えば、各受信部が受信する受信信号に対して施す周波数変換、復調、誤り訂正復号化等の各無線通信方式の受信用の処理のための情報を含む。
【００３９】
送信データ解析部２０２は、送信情報２０１、および、送信制御信号２０６を入力とし、送信制御信号２０６に基づいて、送信情報２０１を制御し、第１の送信データ２０３＿１、第２の送信データ２０３＿２、・・・、第Ｎの送信データ２０３＿Ｎを出力する。つまり、送信データ解析部２０２は、第ｉの送信データ２０３＿ｉ（ｉは１以上Ｎ以下の整数（Ｎは２以上、または、３以上の整数））を出力する。
【００４０】
第１の送信部２０７＿１は、第１の送信データ２０３＿１、および、送信制御信号２０６を入力とし、送信制御信号２０６に基づき、第１の送信データ２０３＿１に、誤り訂正符号化、変調（マッピング）、周波数変換、増幅等の処理を施し（「第１の無線通信方式」の送信用の処理を施し）、第１の送信信号２０８＿１を出力する。第１の送信信号２０８＿１は、第１の送信アンテナ２０９＿１から電波として出力される。
【００４１】
第２の送信部２０７＿２は、第２の送信データ２０３＿２、および、送信制御信号２０６を入力とし、送信制御信号２０６に基づき、第２の送信データ２０３＿２に、誤り訂正符号化、変調（マッピング）、周波数変換、増幅等の処理を施し（「第２の無線通信方式」の送信用の処理を施し）、第２の送信信号２０８＿２を出力する。第２の送信信号２０８＿２は、第２の送信アンテナ２０９＿２から電波として出力される。
【００４２】
第Ｎの送信部２０７＿Ｎは、第Ｎの送信データ２０３＿Ｎ、および、送信制御信号２０６を入力とし、送信制御信号２０６に基づき、第Ｎの送信データ２０３＿Ｎに、誤り訂正符号化、変調（マッピング）、周波数変換、増幅等の処理を施し（「第Ｎの無線通信方式」の送信用の処理を施し）、第Ｎの送信信号２０８＿Ｎを出力する。第Ｎの送信信号２０８＿Ｎは、第Ｎの送信アンテナ２０９＿Ｎから電波として出力される。
【００４３】
同様に、第ｉの送信部２０７＿ｉは、第ｉの送信データ２０３＿ｉ、および、送信制御信号２０６を入力とし、送信制御信号２０６に基づき、第ｉの送信データ２０３＿ｉに、誤り訂正符号化、変調（マッピング）、周波数変換、増幅等の処理を施し（「第ｉの無線通信方式」の送信用の処理を施し）、第ｉの送信信号２０８＿ｉを出力する。第ｉの送信信号２０８＿ｉは、第ｉの送信アンテナ２０９＿ｉから電波として出力される（ｉは、１以上Ｎ以下の整数）。
【００４４】
第１の受信部２１２＿１は、第１の受信アンテナ２１０＿１で受信した第１の受信信号２１１＿１、および、受信制御信号２１８を入力とし、受信制御信号２１８に基づいて、第１の受信信号２１１＿１の受信処理（周波数変換、復調、誤り訂正復号など）を行い（「第１の無線通信方式」の受信用の処理を施し）、第１の受信データ２１３＿１を出力する。
【００４５】
第２の受信部２１２＿２は、第２の受信アンテナ２１０＿２で受信した第２の受信信号２１１＿２、および、受信制御信号２１８を入力とし、受信制御信号２１８に基づいて、第２の受信信号２１１＿２の受信処理（周波数変換、復調、誤り訂正復号など）を行い（「第２の無線通信方式」の受信用の処理を施し）、第２の受信データ２１３＿２を出力する。
【００４６】
第Ｎの受信部２１２＿Ｎは、第Ｎの受信アンテナ２１０＿Ｎで受信した第Ｎの受信信号２１１＿Ｎ、および、受信制御信号２１８を入力とし、受信制御信号２１８に基づいて、第Ｎの受信信号２１１＿Ｎの受信処理（周波数変換、復調、誤り訂正復号など）を行い（「第Ｎの無線通信方式」の受信用の処理を施し）、第Ｎの受信データ２１３＿Ｎを出力する。
【００４７】
同様に、第ｉの受信部２１２＿ｉは、第ｉの受信アンテナ２１０＿ｉで受信した第ｉの受信信号２１１＿ｉ、及び受信制御信号２１８を入力とし、受信制御信号２１８に基づいて、第ｉの受信信号２１１＿ｉの受信処理（周波数変換、復調、誤り訂正復号など）を行い（「第ｉの無線通信方式」の受信用の処理を施し）、第ｉの受信データ２１３＿ｉを出力する（ｉは、１以上Ｎ以下の整数）。
【００４８】
受信データ解析部２１４は、第１の受信データ２１３＿１、第２の受信データ２１３＿２、・・・、第Ｎの受信データ２１３＿Ｎ（つまり、第ｉの受信データ２１３＿ｉ（ｉは１以上Ｎ以下の整数（Ｎは２以上、または、３以上の整数）））、および、受信制御信号２１８を入力とし、受信制御信号２１８に基づき、受信データ２１５を出力する。
【００４９】
図２の構成により、図１を用いて説明した、通信、特に、複数の変調信号の同時受信、および、複数の変調信号の同時送信が行われることになる。
【００５０】
なお、図２では、各送信部、各受信部にそれぞれアンテナが接続されているが、本開示はこれに限定されない。例えば、各通信方式で送信用のアンテナと受信用のアンテナが共用されてもよい。あるいは、複数の送信部、複数の受信部で、アンテナが共用されてもよい。また、各送信部、各受信部に、複数のアンテナが接続されていてもよい。
【００５１】
また、本開示において、各送信部を経て送信される信号が複数であってもよいし、各受信部が受信する受信信号が複数であってもよい。例えば、端末は、各送信部を経て、対応する無線通信方式において、周波数、周波数帯域、送信アンテナ数等が互いに異なる複数の変調信号を送信するような構成であってもよい（すなわち、各送信部が同一の複数の変調信号を送信するような構成でもよい）。この場合、各送信部の入力となる送信信号は、複数であってもよい。また、端末は、各受信部により、対応する無線通信方式において、周波数、周波数帯域、送信アンテナ数等が互いに異なる複数の変調信号を受信するような構成であってもよい。この場合、各受信部の出力となる信号は、複数あってもよい。
【００５２】
次に、端末１１０が送受信を行う複数の無線通信方式の一例について説明する。
【００５３】
図３は、無線通信方式の一例を示す表である。図３の例では、図１および図２において、無線通信方式の数をＮ＝４とする。そして、図３に示す各無線通信方式は、第１の無線通信方式から第４の無線通信方式に対応しているものとする。
【００５４】
図３の例において、「第１の無線通信方式」は、「通信方式が「無線ＬＡＮ（Local Area Network）」、使用する周波数が２．４ＧＨｚ、または、５ＧＨｚである」ということを意味している。同様に、「第２の無線通信方式」は、「通信方式が「Ｂｌｕｅｔｏｏｔｈ（登録商標）」、使用する周波数が２．４ＧＨｚである」ということを意味している。「第３の無線通信方式」は、「通信方式が「第三世代携帯電話」、使用する周波数が８００ＭＨｚ、または、２ＧＨｚである」ということを意味している。「第４の無線通信方式」は、「通信方式が「第四世代携帯電話」、使用する周波数が８００ＭＨｚ、または、２ＧＨｚである」ということを意味している。
【００５５】
なお、図３では、第１の無線通信方式から第４の無線通信方式が互いに異なる場合について示したが、同じ無線通信方式が２個以上含まれていてもよい。例えば、第１の無線通信方式と第２の無線通信方式が、無線ＬＡＮ（Local Area Network）であり、使用する周波数が同じであっても異なっていてもよい。このとき、第１の無線通信方式（例えば、無線ＬＡＮ）による通信サービスを提供するプロバイダーと、第２の無線通信方式（例えば、無線ＬＡＮ）による通信サービスを提供するプロバイダーとが、同一であってもよいし、異なっていてもよい。
【００５６】
次に、図１のプロキシサーバー１０４の構成について説明する。
【００５７】
図４は、プロキシサーバー１０４の構成の一例を示す図である。図４に示すプロキシサーバー１０４は、送信データ振り分け部４０２、受信データ解析および受信データ振り分け部４０５、無線通信方式選択部４０８を有する。
【００５８】
送信データ振り分け部４０２は、送信データ４０１（図１の送信データ１０３＿２）、および、制御信号４０９を入力とし、制御信号４０９に基づき、第１の通信局の送信データ４０３＿１（図１の第１の通信局の送信データ１０６＿１）、第２の通信局の送信データ４０３＿２（図１の第２の通信局の送信データ１０６＿２）、・・・、第Ｎの通信局の送信データ４０３＿Ｎ（図１の第Ｎの通信局の送信データ１０６＿Ｎ）を出力する。
【００５９】
なお、送信データ振り分け部４０２は、第１の通信局の送信データ４０３＿１、第２の通信局の送信データ４０３＿２、・・・、第Ｎの通信局の送信データ４０３＿Ｎを、すべて出力するとは限らない。送信データ振り分け部４０２は、変調信号を送信する通信局に対して、送信データを出力する。送信データ振り分け部４０２における振り分けの制御方法についての情報は、制御信号４０９に含まれているものとする。
【００６０】
受信データ解析および受信データ振り分け部４０５は、第１の通信局の受信データ４０４＿１（図１の第１の通信局の受信データ１０５＿１）、第２の通信局の受信データ４０４＿２（図１の第２の通信局の受信データ１０５＿２）、・・・、第Ｎの通信局の受信データ４０４＿Ｎ（図１の第Ｎの通信局の受信データ１０５＿Ｎ）、および、制御信号４０９を入力とし、制御信号４０９に基づき、受信データの解析、および、受信データの振り分けを行い、受信データ４０６（図１の受信データ１０３＿１）を出力する。
【００６１】
受信データ解析および受信データ振り分け部４０５には、第１の通信局の受信データ４０４＿１、第２の通信局の受信データ４０４＿２、・・・、第Ｎの通信局の受信データ４０４＿Ｎが入力される。しかし、受信データ４０４＿１から４０４＿Ｎのすべてにデータが存在しているとは限らない。受信データ解析および受信データ振り分け部４０５には、端末１１０が送信した変調信号を受信した通信局が得た受信データのみが入力される。受信データ解析および受信データ振り分け部４０５における、受信データの解析、および、受信データの振り分けの制御方法についての情報は、制御信号４０９に含まれているものとする。
【００６２】
また、受信データ解析および受信データ振り分け部４０５は、第１の通信局の受信データ４０４＿１、第２の通信局の受信データ４０４＿２、・・・、第Ｎの通信局の受信データ４０４＿Ｎに含まれる各制御情報から端末要求を取得し、端末要求信号４０７を出力する。端末要求には、端末がアクセス可能な通信局の情報、および／または、端末がリンクを確立できた通信局の情報等が含まれる。
【００６３】
無線通信方式選択部４０８は、（ネットワーク側での）要求信号４００、および、端末要求信号４０７を入力とし、変調信号を送信する通信局、および、変調信号を受信する通信局を決定し、決定した通信局の情報を含む制御信号４０９を出力する。
【００６４】
次に、本実施の形態において、端末が、通信局、プロキシサーバー、サーバーを介して、ネットワーク上のコンテンツを入手する処理について説明する。図５は、通信状態の一例を示す図である。図５に示す例では、端末は、第１〜第４の通信局とリンクを確立し、そのうち少なくとも一つ以上の通信局を介して、コンテンツのデータを要求する。
【００６５】
図６は、本実施の形態におけるコンテンツ入手方法の手順を示すシーケンス図である。なお、図６では、説明の簡便化のため、１つの通信局のみを図示する。以下、図６を参照して、コンテンツ入手方法の手順を説明する。
【００６６】
端末は、通信局を介し、「リンクが確立できている通信局の情報」をプロキシサーバーに伝達する（Ｓ６０１）。プロキシサーバーは、端末とのリンクが確立できている通信局の情報を保持する。
【００６７】
次に、端末は、通信局を介し、コンテンツのデータの要求をプロキシサーバー経由で行う（Ｓ６０２）。
【００６８】
次に、プロキシサーバーは、「リンクが確立できている通信局の情報」に基づき、要求されたコンテンツのデータを伝送するために使用する通信局を選択する（Ｓ６０３）。
【００６９】
なお、プロキシサーバーは、リンクが確立できている通信局の全てを使用して、端末にコンテンツのデータを伝送しなくてもよい。つまり、プロキシサーバーは、リンクが確立できている通信局のうち、少なくとも一部の通信局を介して、コンテンツのデータを伝送してもよい。その際、コンテンツのデータを伝送するために使用する通信局の選択は、ネットワーク、サーバー、各通信局の指示、および／または、端末からのフィードバック情報に基づいて行われることになる。
【００７０】
次に、プロキシサーバーは、選択した通信局に対して、コンテンツのデータを振り分けて送信する（Ｓ６０４）。通信局は、プロキシサーバーの指示に従い、振り分けられたコンテンツのデータを端末に送信する（Ｓ６０５）。
【００７１】
端末は、少なくとも一つ以上の通信局から送信されたコンテンツのデータを受信し、受信したデータに対して受信処理等を行って、コンテンツを取得する（Ｓ６０６）。
【００７２】
なお、図６の例では、コンテンツのデータが一つの通信局から送信されているが、コンテンツのデータは、複数の通信局から送信されてもよい。また、図６の例では、端末が「リンクが確立できている通信局の情報」をプロキシサーバーに伝達するために経由する通信局と、コンテンツのデータの要求を行うために経由する通信局と、端末にコンテンツのデータを送信する通信局とが互いに同一の通信局である場合を示している。本開示では、端末が「リンクが確立できている通信局の情報」をプロキシサーバーに伝達するために経由する通信局と、コンテンツのデータの要求を行うために経由する通信局と、端末にコンテンツのデータを送信する通信局とが互いに異なっていてもよい。
【００７３】
なお、図５の通信状態の詳細については、図１に示したとおりである。また、図６で説明した端末は、図２に示した構成を有する。図６で説明したプロキシサーバーは、図４に示した構成を有する。また、図６で説明したＳ６０３の動作は、図４の無線通信方式選択部４０８が担う。そして、Ｓ６０４の動作は、図４の送信データ振り分け部４０２が担う。
【００７４】
受信データ解析および受信データ振り分け部４０５は、第１の通信局の受信データ４０４＿１、第２の通信局の受信データ４０４＿２、・・・、第Ｎの通信局の受信データ４０４＿Ｎ、および、制御信号４０９を入力とする。そして、受信データ解析および受信データ振り分け部４０５は、制御信号４０９に基づき、受信データの解析、および、受信データの振り分けを行い、受信データ４０６を出力する。この構成により、受信データ解析および受信データ振り分け部４０５は、図６のＳ６０１、Ｓ６０２における受信動作を担う。
【００７５】
なお、受信データ解析および受信データ振り分け部４０５には、第１の通信局の受信データ４０４＿１、第２の通信局の受信データ４０４＿２、・・・、第Ｎの通信局の受信データ４０４＿Ｎが入力される。しかし、受信データ４０４＿１から４０４＿Ｎのすべてにデータが存在しているとは限らない。受信データ解析および受信データ振り分け部４０５には、端末１１０が送信した変調信号を受信した通信局が得た受信データのみが入力される。受信データ解析および受信データ振り分け部４０５における、受信データの解析、および、受信データの振り分けの制御方法についての情報は、制御信号４０９に含まれているものとする。
【００７６】
次に、図５、図６を用いて説明した、コンテンツの送信方法について、図７を用いて説明する。図７は、本実施の形態におけるコンテンツの送信方法の一例を示す図である。
【００７７】
例えば、プロキシサーバーが「リンクが確立できている通信局の情報」に基づき、コンテンツのデータを伝送するために第１の通信局と第４の通信局を選択したとする。この選択は、図４の無線通信方式選択部４０８により行われる。この場合に、図４の送信データ振り分け部４０２が送信データを振り分ける様子を、図７を用いて説明する。
【００７８】
図７（Ａ）は、図４の送信データ４０１の様子、図７（Ｂ）は、図４の第１の通信局の送信データ４０３＿１の様子、図７（Ｃ）は、図４の第４の通信局の送信データ４０３＿４の様子を示している。図７（Ａ）〜（Ｃ）における横軸は時間を示している。
【００７９】
図７（Ａ）に示しているように、横軸時間に対し、データ＃１、データ＃２、データ＃３、・・・のように図４の送信データ振り分け部４０２に入力されるものとする。なお、データは、ビット単位、バイト単位、パケット単位、フレーム単位、いずれであってもよい。
【００８０】
そして、図４の送信データ振り分け部４０２は、データ＃１を第１の通信局で送信すると決定する。したがって、図７（Ｂ）のようになる。
【００８１】
同様に、図４の送信データ振り分け部４０２は、データ＃２、データ＃３、データ＃７、データ＃９、・・・を第１の通信局で送信すると決定する。したがって、図７（Ｂ）のようになる。
【００８２】
また、図４の送信データ振り分け部４０２は、データ＃４を第４の通信局で送信すると決定する。したがって、図７（Ｃ）のようになる。
【００８３】
同様に、図４の送信データ振り分け部４０２は、データ＃５、データ＃６、データ＃８、データ＃１０、・・・を第４の通信局で送信すると決定する。したがって、図７（Ｃ）のようになる。
【００８４】
図４の送信データ振り分け部４０２は、第１の通信局に、図７（Ｂ）に示すデータを振り分け、第４の通信局に、図７（Ｃ）に示すデータを振り分ける。第１の通信局および第４の通信局は、それぞれ、振り分けられたデータを端末に送信する。
【００８５】
ここで、端末から要求されたコンテンツに関するデータは、コンテンツの本体データの情報ビットを含む情報パケットと、コンテンツの本体データの誤り訂正のために付加されたパリティビットを含むパリティパケットとを含んでいてもよい。この場合、コンテンツに関するデータに対して、誤り訂正符号により符号化が行われることになる。なお、このレイヤーで導入する誤り訂正符号をアプリケーションレイヤーＦＥＣ（Forward Error Correction）と呼ぶ。そして、以降で説明する通信局では、例えば、無線により伝送するために、再度、誤り訂正符号による符号化が行われる。つまり、物理層（ＰＨＹレイヤー）での誤り訂正符号化が行われる。情報パケットとパリティパケットとを送信する場合、情報パケットを送信する通信局と、パリティパケットを送信する通信局とは異なっていてもよい。端末は、情報パケットとパリティパケットとを異なる通信局を介して受信することにより、端末における受信処理が複雑にならずにすむ。
【００８６】
なお、アプリケーションレイヤーＦＥＣを導入しない場合、コンテンツ本体から、例えば、パケットが生成されることになる。
【００８７】
以上のように、複数の無線通信方式を用いて複数の変調信号を送信及び受信することができる端末が、ネットワークに存在するプロキシサーバーとの間で、リンクが確立できている通信局の情報を共有する。これにより、複数の通信局が複数の変調信号を送信するので、ネットワークから効率よくデータを送信できる。また、通信端末は、複数の変調信号を受信し、データを得ることで、データ伝送速度を効率よく向上させることができ、これにより、周波数利用効率が向上するという効果を得ることができる。
【００８８】
なお、本実施の形態では、図３で説明したように、通信方式として、無線ＬＡＮ、Ｂｌｕｅｔｏｏｔｈ（登録商標）、第三世代携帯電話、第四世代携帯電話を例に説明したが、これらに限ったものではなく、他の無線通信方式が、同時送信する通信方式の一つに選ばれても、本実施の形態は、同様に実施することができる。
【００８９】
なお、本実施の形態で、プロキシサーバーと記載したが、プロキシサーバーが、サーバーであってもよい。また、サーバーがプロキシサーバーであってもよい。よって、プロキシサーバー、または、サーバーが含まれていないというような構成であってもよい。
【００９０】
（実施の形態２）
本実施の形態では、端末が通信可能な通信方式の情報をプロキシサーバーと共有し、複数の個別ネットワークに属する通信局がデータを送信する方法について説明する。
【００９１】
図８は、本実施の形態における通信状態の一例を示す図である。端末８１０は、複数の無線通信方式の送信及び受信に対応することができる端末である。このとき、端末８１０が対応することのできる無線通信方式をＮ（Ｎは２以上の整数（または、Ｎは３以上の整数））種類とし、Ｎ種類の無線通信方式それぞれに対し、「第１の無線通信方式」、「第２の無線通信方式」、「第３の無線通信方式」、・・・、「第Ｎの無線通信方式」と名付ける。すなわち、「第ｉの無線通信方式」が存在することになる（ｉは１以上Ｎ以下の整数とする）。
【００９２】
ただし、端末８１０は、Ｎ種類の無線通信方式の送受信すべてに対応していなくてもよい。つまり、端末８１０は、Ｎ種類以下（２種類以上）の無線通信方式の送受信に対応している。
【００９３】
図８に示すように、端末８１０は、「第１の無線通信方式」により、第１の通信局を含む第１の個別ネットワーク８０７＿１と通信を行う場合がある。なお、図８の矢印８０８＿１は、端末８１０が変調信号を送信し、第１の個別ネットワーク８０７＿１がその変調信号を受信することを意味している。そして、矢印８０９＿１は、第１の個別ネットワーク８０７＿１が変調信号を送信し、端末８１０がその変調信号を受信することを意味している。
【００９４】
なお、「第１の通信局を含む第１の個別ネットワーク」とは、「少なくとも、通信局及びサーバー」、または、「少なくとも、通信局及びプロキシサーバー」、を含んでいることを意味している。
【００９５】
端末８１０は、「第２の無線通信方式」により、第２の通信局を含む第２の個別ネットワーク８０７＿２と通信を行う場合がある。なお、図８の矢印８０８＿２は、端末８１０が変調信号を送信し、第２の個別ネットワーク８０７＿２がその変調信号を受信することを意味している。そして、８０９＿２は、第２の個別ネットワーク矢印８０７＿２が変調信号を送信し、端末８１０がその変調信号を受信することを意味している。
【００９６】
なお、「第２の通信局を含む第２の個別ネットワーク」とは、「少なくとも、通信局及びサーバー」、または、「少なくとも、通信局及びプロキシサーバー」、を含んでいることを意味している。
【００９７】
端末８１０は、「第Ｎの無線通信方式」により、第Ｎの通信局を含む第Ｎの個別ネットワーク８０７＿Ｎと通信を行う場合がある。なお、図８の矢印８０８＿Ｎは、端末８１０が変調信号を送信し、第Ｎの個別ネットワーク８０７＿Ｎがその変調信号を受信することを意味している。そして、矢印８０９＿Ｎは、第２の個別ネットワーク８０７＿Ｎが変調信号を送信し、端末８１０がその変調信号を受信することを意味している。
【００９８】
なお、「第Ｎの通信局を含む第Ｎの個別ネットワーク」とは、各個別ネットワークが、「少なくとも、通信局及びサーバー」、または、「少なくとも、通信局及びプロキシサーバー」、を含んでいることを意味している。
【００９９】
上述したように、端末８１０は、「第ｉの無線通信方式」により、第ｉの通信局を含む第ｉの個別ネットワークのいずれかと通信を行う場合がある（ただし、ｉは１以上Ｎ以下の整数とする）。
【０１００】
本実施の形態の特徴的な点として、第１の個別ネットワーク８０７＿１、第２の個別ネットワーク８０７＿２、・・・、第Ｎの個別ネットワーク８０７＿Ｎとは別に、これらＮ個の個別ネットワークの上流に位置する上位ネットワーク８９９を含んでいる点である。上位ネットワーク８９９は、上位サーバー８０２および上位プロキシサーバー８０４を含む。
【０１０１】
第１の個別ネットワーク８０７＿１は、上位プロキシサーバー８０４と通信を行う。したがって、第１の個別ネットワーク８０７＿１は、上位プロキシサーバー８０４へデータを送信することもあり（８０５＿１）、上位プロキシサーバー８０４からデータを受信することもある（８０６＿１）。
【０１０２】
同様に、第２の個別ネットワーク８０７＿２は、上位プロキシサーバー８０４と通信を行う。したがって、第２の個別ネットワーク８０７＿２は、上位プロキシサーバー８０４へデータを送信することもあり（８０５＿２）、上位プロキシサーバー８０４からデータを受信することもある（８０６＿２）。
【０１０３】
そして、第Ｎの個別ネットワーク８０７＿Ｎは、上位プロキシサーバー８０４と通信を行う。したがって、第Ｎの個別ネットワーク８０７＿Ｎは、上位プロキシサーバー８０４へデータを送信することもあり（８０５＿Ｎ）、上位プロキシサーバー８０４からデータを受信することもある（８０６＿Ｎ）。
【０１０４】
上述したように、第ｉの個別ネットワーク８０７＿ｉは、上位プロキシサーバー８０４と通信を行い、第ｉの個別ネットワーク８０７＿ｉは、データを送信したり、受信したりすることがある（ただし、ｉは１以上Ｎ以下の整数とする）。
【０１０５】
上位プロキシサーバー８０４は、第ｉの個別ネットワーク８０７＿ｉ（ｉは１以上Ｎ以下の整数）と通信を行うとともに、上位サーバー８０２とも通信を行う。したがって、上位プロキシサーバー８０４は、上位サーバー８０２へデータを送信することもあり（８０３＿１）、上位サーバー８０２からデータを受信することもある（８０３＿２）。
【０１０６】
上位サーバー８０２は、上位プロキシサーバー８０４と通信を行うとともに、上位ネットワーク８９９よりもさらに上流のネットワークに対し、データを送信することもあり（８０１＿１）、ネットワークからデータを受信することもある（８０１＿２）。
【０１０７】
次に、図８を用いて、具体的な通信の例として、端末８１０がネットワークからデータを取得する方法について、２通りの方法を説明する。
【０１０８】
［ネットワークからデータを取得する第１の方法］
まず、端末８１０がネットワークからデータを取得する第１の方法を説明する。端末８１０が、ネットワーク上にあるコンテンツ（またはアプリケーション）＃Ａを入手する場合について説明する。端末８１０は、上位プロキシサーバー８０４および上位サーバー８０２を経由して、ネットワークからコンテンツ（またはアプリケーション）＃Ａを入手する。このとき、図８の例では、端末８１０が、第１の個別ネットワーク８０７＿１、第２の個別ネットワーク８０７＿２、・・・、第Ｎの個別ネットワーク８０７＿Ｎに含まれるＮ個の通信局のうち、Ｍ（Ｍは２以上Ｎ以下の整数）個の通信局を介して、コンテンツ（またはアプリケーション）＃Ａのデータを入手することになる。
【０１０９】
このとき、この複数の通信局を選択する権限は、以下にそれぞれ説明するように、端末８１０が保有していてもよいし、上位プロキシサーバー８０４が保有していてもよい。
【０１１０】
＜上位プロキシサーバー８０４が選択権限を保有している場合＞
通信局の選択権限を、上位プロキシサーバー８０４が保有している場合について説明する。この場合、上位プロキシサーバー８０４は、コンテンツ（またはアプリケーション）＃Ａのデータを送信するためのＭ個の通信局を選択する。そして、上位プロキシサーバー８０４は、コンテンツ（またはアプリケーション）＃Ａのデータを、選択したＭ個の通信局をそれぞれ含むＭ個の個別ネットワークに振り分けを行うことになる。
【０１１１】
例えば、上位プロキシサーバー８０４が第１の通信局を含む第１の個別ネットワーク８０７＿１と第２の通信局を含む第２の個別ネットワーク８０７＿２を通して、端末８１０にコンテンツ（またはアプリケーション）＃Ａのデータを伝送する場合について説明する。この場合、上位プロキシサーバー８０４は、上位サーバー８０２を経由して得たコンテンツ（またはアプリケーション）＃Ａのデータを、図８の８０６＿１、８０６＿２に振り分けることになる。
【０１１２】
＜端末８１０が選択権限を保有している場合＞
通信局の選択権限を、端末８１０が保有している場合について説明する。この場合、端末８１０は、コンテンツ（またはアプリケーション）＃Ａのデータを得るためのＭ個の通信局を選択する。そして、端末８１０は、いずれかの通信局を含む個別ネットワークを通して、上位プロキシサーバー８０４に対し、コンテンツ（またはアプリケーション）＃Ａのデータを得るために選択したＭ個の通信局をそれぞれ含むＭ個の個別ネットワークの情報を上位プロキシサーバー８０４に伝送する。そして、上位プロキシサーバー８０４は、この情報にもとづき、Ｍ個の個別ネットワークに対し、コンテンツ（またはアプリケーション）＃Ａのデータを振り分ける。
【０１１３】
例えば、上位プロキシサーバー８０４が第１の通信局を含む第１の個別ネットワーク８０７＿１と第２の通信局を含む第２の個別ネットワーク８０７＿２を通して、端末８１０にコンテンツ（またはアプリケーション）＃Ａのデータを伝送する場合について説明する。この場合、上位プロキシサーバー８０４は、上位サーバー８０２を経由して得たコンテンツ（またはアプリケーション）＃Ａのデータを、図８の８０６＿１、８０６＿２に振り分けることになる。
【０１１４】
［ネットワークからデータを取得する第２の方法］
次に、端末８１０がネットワークからデータを取得する第２の方法を説明する。端末８１０が、ネットワーク上にある複数のコンテンツ（またはアプリケーション）を入手する場合について説明する。例えば、端末８１０が、コンテンツ（またはアプリケーション）＃Ａとコンテンツ（またはアプリケーション）＃Ｂとを入手するものとする。このとき、第２の方法では、端末８１０は、コンテンツ（またはアプリケーション）＃Ａを一つ以上の通信局に対応する一つ以上の個別ネットワークから入手し、コンテンツ（またはアプリケーション）＃Ｂを一つ以上の通信局に対応する一つ以上の個別ネットワークから入手することになる。このとき、コンテンツ＃Ａを取得するための一つ以上の通信局と、コンテンツ＃Ｂを取得するための一つ以上の通信局とは、一部が重複していてもよいし、すべてが重複していてもよい。
【０１１５】
端末８１０が、複数のコンテンツを、複数の通信局から入手する場合について説明する。このとき、この複数の通信局にそれぞれ対応する複数の個別ネットワークを選択する権限、および／または、各コンテンツをどの通信局を含む個別ネットワークから端末が得るかについての割り当ての権限は、以下に説明するように、端末８１０が保有していてもよいし、上位プロキシサーバー８０４が保有していてもよい。
【０１１６】
＜上位プロキシサーバー８０４が選択権限を保有している場合＞
上位プロキシサーバー８０４が、コンテンツ（またはアプリケーション）＃Ａのデータを送信する通信局を含む個別ネットワークの選択権限、および／または、コンテンツ（またはアプリケーション）＃Ｂにデータを送信する通信局を含む個別ネットワークの選択権限を、保有している場合について説明する。この場合、上位プロキシサーバー８０４は、コンテンツ（またはアプリケーション）＃Ａのデータを送信する通信局を含む個別ネットワークとして、一つ以上の通信局に対応する一つ以上の個別ネットワークを選択する。また、上位プロキシサーバー８０４は、コンテンツ（またはアプリケーション）＃Ｂのデータを送信する通信局を含む個別ネットワークとして、一つ以上の通信局に対応する一つ以上の個別ネットワークを選択する。そして、上位プロキシサーバー８０４は、コンテンツ（またはアプリケーション）＃Ａのデータを、コンテンツ（またはアプリケーション）＃Ａ向けに選択した一つ以上の個別ネットワークに振り分け、および／または、コンテンツ（またはアプリケーション）＃Ｂのデータを、コンテンツ（またはアプリケーション）＃Ｂ向けに選択した一つ以上の個別ネットワークに振り分ける。
【０１１７】
例えば、上位プロキシサーバー８０４がコンテンツ（またはアプリケーション）＃Ａのデータを伝送するために第１の通信局を含む第１の個別ネットワーク８０７＿１と第２の通信局を含む第２の個別ネットワーク８０７＿２を選択し、コンテンツ（またはアプリケーション）＃Ｂのデータを伝送するために第Ｎの通信局を含む第Ｎの個別ネットワーク８０７＿Ｎを選択したものとする。この場合、上位プロキシサーバー８０４は、上位サーバー８０２を経由して得たコンテンツ（またはアプリケーション）＃Ａのデータを、図８の８０６＿１、８０６＿２に振り分けることになる。そして、上位プロキシサーバー８０４は、上位サーバー８０２を経由して得たコンテンツ（またはアプリケーション）＃Ｂのデータを８０６＿Ｎに振り分けることになる。
【０１１８】
＜端末８１０が選択権限を保有している場合＞
コンテンツ（またはアプリケーション）＃Ａのデータを送信する通信局を含む個別ネットワークの選択権限、および／または、コンテンツ（またはアプリケーション）＃Ｂのデータを送信する通信局を含む個別ネットワークの選択権限を、端末８１０が保有している場合について説明する。この場合、端末８１０は、コンテンツ（またはアプリケーション）＃Ａのデータを得るために一つ以上の個別ネットワークを選択し、および／または、コンテンツ（またはアプリケーション）＃Ｂのデータを得るために一つ以上の個別ネットワークを選択する。そして、端末８１０は、いずれかの通信局を含む個別ネットワークをとおして、上位プロキシサーバー８０４に対し、コンテンツ（またはアプリケーション）＃Ａのデータを得るために選択した通信局を含む個別ネットワークの情報、および／または、コンテンツ（またはアプリケーション）＃Ｂを得るために選択した通信局を含む個別ネットワークの情報を伝送する。そして、上位プロキシサーバー８０４は、端末から受け取った情報に基づき、コンテンツ（またはアプリケーション）＃Ａのデータを送信する通信局を含む個別ネットワークに、データを振り分ける。また、上位プロキシサーバー８０４は、コンテンツ（またはアプリケーション）＃Ｂのデータを送信する通信局を含む個別ネットワークに、データを振り分ける。
【０１１９】
例えば、第１の通信局を含む第１の個別ネットワーク８０７＿１と第２の通信局を含む第２の個別ネットワーク８０７＿２を通して、端末８１０にコンテンツ（またはアプリケーション）＃Ａのデータを伝送する場合、上位プロキシサーバー８０４は、上位サーバー８０２を経由して得たコンテンツ（またはアプリケーション）＃Ａのデータを、図８の８０６＿１、８０６＿２に振り分けることになる。そして、第Ｎの通信局を含む第Ｎの個別ネットワーク８０７＿Ｎを通して、端末８１０にコンテンツ（またはアプリケーション）＃Ｂのデータを伝送する場合、上位プロキシサーバー８０４は、上位サーバー８０２を経由して得たコンテンツ（またはアプリケーション）＃Ｂのデータを、図８の８０６＿Ｎに振り分けることになる。
【０１２０】
次に、図８で説明したＮ個の個別ネットワークについて、第ｉの個別ネットワーク８０７＿ｉ（ｉは１以上Ｎ以下の整数）を例にとって説明する。図９は、第ｉの通信局を含む第ｉの個別ネットワーク８０７＿ｉの構成例を示す図である。図９に示すように、第ｉの個別ネットワークは、第ｉの通信局９０６、サーバー９０２、プロキシサーバー９０４を含むものとする。
【０１２１】
サーバー９０２は、ネットワークと通信を行う。図９の９０１＿１は、サーバー９０２のネットワークに対する送信信号を示し、９０１＿２は、サーバー９０２のネットワークからの受信信号を示している。
【０１２２】
プロキシサーバー９０４は、サーバー９０２と通信を行う。図９の９０３＿１は、プロキシサーバー９０４のサ―バー９０２に対する送信信号を示し、９０３＿２は、プロキシサーバー９０４のサーバー９０２からの受信信号を示している。
【０１２３】
プロキシサーバー９０４は、第ｉの通信局９０６と通信を行う。図９の９０５＿１は、プロキシサーバー９０４の第ｉの通信局９０６からの受信信号、つまり、第ｉの通信局９０６のプロキシサーバー９０４に対する送信信号を示している。また、図９の９０５＿２は、プロキシサーバー９０４の第ｉの通信局９０６に対する送信信号、つまり、第ｉの通信局９０６のプロキシサーバー９０４からの受信信号を示している。
【０１２４】
第ｉの通信局９０６は、プロキシサーバー９０４と通信を行う。また、第ｉの通信局９０６は、端末と通信を行う。図９の９０７＿１は、第ｉの通信局９０６の端末からの受信信号を示し、９０７＿２は、第ｉの通信局９０６の端末に対する送信信号を示している。
【０１２５】
本実施の形態における端末８１０は、図２に示した構成と同様の構成を有し、実施の形態１で説明した端末の動作と同様の動作を行うので、ここでは、説明を省略する。
【０１２６】
また、本実施の形態における端末８１０が送受信を行う複数の無線通信方式の一例は、図３で説明した一例と同様である。端末８１０は、Ｎ＝４とし、第１の無線通信方式から第４の無線通信方式に対応しているものとする。
【０１２７】
また、本実施の形態における上位プロキシサーバー８０４の構成の一例は、図４に示したプロキシサーバー１０４の構成の一例と同様である。以下では、図４を用いて、上位プロキシサーバー８０４の構成を説明する。
【０１２８】
送信データ振り分け部４０２は、送信データ４０１（図８の送信データ８０３＿２）、および、制御信号４０９を入力とし、制御信号４０９に基づき、第１の個別ネットワークへの送信データ４０３＿１（図８の第１の個別ネットワークへの送信データ８０６＿１）、第２の個別ネットワークへの送信データ４０３＿２（図８の第２の個別ネットワークへの送信データ８０６＿２）、・・・、第Ｎの個別ネットワークへの送信データ４０３＿Ｎ（図８の第Ｎの個別ネットワークへの送信データ８０６＿Ｎ）を出力する。
【０１２９】
なお、送信データ振り分け部４０２は、第１の個別ネットワークへの送信データ４０３＿１、第２の個別ネットワークへの送信データ４０３＿２、・・・、第Ｎの個別ネットワークへの送信データ４０３＿Ｎを、すべて出力するとは限らない。送信データ振り分け部４０２は、変調信号を送信する通信局を含む個別ネットワークに対する送信データを出力する。送信データ振り分け部４０２における振り分けの制御方法についての情報は、制御信号４０９に含まれているモノとする。
【０１３０】
受信データ解析および受信データ振り分け部４０５は、第１の個別ネットワークからの受信データ４０４＿１（図８の第１の個別ネットワークからの受信データ８０５＿１）、第２の個別ネットワークからの受信データ４０４＿２（図８の第２の個別ネットワークからの受信データ８０５＿２）、・・・、第Ｎの個別ネットワークからの受信データ４０４＿Ｎ（図８の第Ｎの個別ネットワークからの受信データ８０５＿Ｎ）、および、制御信号４０９を入力とし、制御信号４０９に基づき、受信データの解析、および、受信データの振り分けを行い、受信データ４０６（図８の受信データ８０３＿１）を出力する。
【０１３１】
また、受信データ解析および受信データ振り分け部４０５は、第１の個別ネットワークからの受信データ４０４＿１、第２の個別ネットワークからの受信データ４０４＿２、・・・、第Ｎの個別ネットワークからの受信データ４０４＿Ｎに含まれる各制御情報から端末要求を取得し、端末要求信号４０７を出力する。端末要求は、端末がアクセス可能な通信局の情報、および／または、端末がリンクを確立できた通信局の情報等を含んでいる。
【０１３２】
無線通信方式選択部４０８は、（ネットワーク側での）要求信号４００、および、端末要求信号４０７を入力とし、変調信号を送信する通信局、および、変調信号を受信する通信局を決定し、これらの情報を含む制御信号４０９を出力する。
【０１３３】
次に、本実施の形態において、端末が、通信局を含む個別ネットワーク、および、上位ネットワーク（＃Ｚ）を介して、上位ネットワークよりもさらに上流に位置するネットワーク上のコンテンツを入手する処理について説明する。なお、上位ネットワークには、図８で説明した上位プロキシサーバー、上位サーバーが含まれる。図１０は、通信状態の一例を示す図である。図５に示す例では、端末は、第１〜第４の通信局をそれぞれ含む第１〜第４の個別ネットワークとリンクを確立し、そのうち少なくとも一つ以上の個別ネットワークを介して、コンテンツのデータを要求する。
【０１３４】
本実施の形態では、上位ネットワークに端末がアクセス可能な個別ネットワークの情報を登録する処理（初期設定処理）と、端末がコンテンツを入手する処理とを行う。まずは、初期設定処理の一例について説明する。
【０１３５】
図１１は、実施の形態２における初期設定処理の一例を示すシーケンス図である。図１１に示す処理は、端末が上位ネットワーク＃Ｚに対して行う初期設定処理である。なお、図１１では、説明の簡便化のため、１つの個別ネットワークのみを図示する。
【０１３６】
端末は、いずれかの個別ネットワークを介して、上位ネットワーク＃Ｚにアクセスする（Ｓ１１０１）。なお、この際、端末は、上位ネットワーク＃Ｚからアクセス出来た旨を示す応答を受け取ってもよい。
【０１３７】
次に、端末は、いずれかの個別ネットワークを介して、アクセス可能（接続可能）なＮ個の通信局をそれぞれ含むＮ個の個別ネットワークに関するアクセス情報を上位ネットワーク＃Ｚの上位プロキシサーバーに送信する（Ｓ１１０２）。
【０１３８】
上位ネットワーク＃Ｚの上位プロキシサーバーは、アクセス情報に基づいて、端末が（いずれかの場所で）アクセス可能な通信局を含む個別ネットワークの情報を登録する（Ｓ１１０３）。
【０１３９】
例えば、端末は、携帯電話関連のモデムを搭載しているが、携帯電話によるデータ通信を運営している会社と契約していないものとする。このような場合、携帯電話関連のネットワークはアクセス可能な通信局を含む個別ネットワークには含まれない。つまり、端末にモデムとしては存在しているが、契約などの関係で、モデムとしての動作しないものについては、アクセス可能な通信局を含む個別ネットワークには含まれないことになる。
【０１４０】
なお、図１１の例では、端末がネットワーク＃Ｚにアクセスする際に経由する個別ネットワークと、端末がアクセス情報を上位プロキシサーバーに送信する際に経由する個別ネットワークが同一である場合を示しているが、互いに異なっていてもよい。
【０１４１】
図１１に示した初期設定処理が完了すると、端末は、上位ネットワーク＃Ｚを介して、コンテンツのデータを取得する。
【０１４２】
図１２は、本実施の形態におけるコンテンツ入手方法の手順を示すシーケンス図である。なお、図１２では、説明の簡便化のため、１つの個別ネットワークのみを図示する。以下、図１２を参照して、コンテンツ入手方法の手順を説明する。
【０１４３】
端末は、いずれかの通信局を含む個別ネットワークを介して、リンクが確立できている通信局を含む個別ネットワークに関する情報（リンク情報）を上位ネットワーク＃Ｚの上位プロキシサーバーに伝達する（Ｓ１２０１）。例えば、リンク情報には、端末とリンクが確立されたＭ個の通信局（Ｍは２以上、Ｎ以下の整数）をそれぞれ含むＭ個の個別ネットワークに関する情報が含まれる。これにより、上位ネットワーク＃Ｚの上位プロキシサーバーは、端末がリンクを確立できている通信局に関するリンク情報を保有していることになる。
【０１４４】
上位ネットワーク＃Ｚの上位プロキシサーバーは、端末がリンクを確立できている通信局を含む個別ネットワークに関するリンク情報を登録する（Ｓ１２０２）。
【０１４５】
端末は、コンテンツのデータの送信要求を、いずれかの通信局を含む個別ネットワークを介して、当該個別ネットワークの個別プロキシサーバー経由で送信する（Ｓ１２０３）。
【０１４６】
上位ネットワーク＃Ｚの上位プロキシサーバーは、端末がリンクを確立できている通信局に関するリンク情報に基づき、コンテンツのデータを伝送するために使用する通信局を含む個別ネットワークを選択する（Ｓ１２０４）。例えば、上位ネットワーク＃Ｚの上位プロキシサーバーは、リンク情報に基づき、Ｌ個の個別ネットワーク（Ｌは１以上、Ｍ以下の整数）を選択する。
【０１４７】
上位ネットワーク＃Ｚの上位プロキシサーバーは、コンテンツのデータを送信するために使用する通信局を含む個別ネットワークに対し、コンテンツのデータを振り分けて送信する（Ｓ１２０５）。なお、コンテンツのデータを送信する通信局を含む個別ネットワークは複数存在していてもよい。
【０１４８】
通信局を含む個別ネットワークの各々は、上位ネットワーク＃Ｚの上位プロキシサーバーの指示にしたがい、各個別ネットワークのプロキシサーバーを介してコンテンツのデータを送信する（Ｓ１２０６）。例えば、上位プロキシサーバーがＬ個の個別ネットワークを選択した場合、Ｌ個の個別ネットワークの各々が、コンテンツのデータを送信する。
【０１４９】
端末は、通信局を含む少なくとも一つ以上の個別ネットワークから送信されたコンテンツのデータを受信し、受信したデータの受信処理および統合処理を行い、コンテンツのデータを取得する（Ｓ１２０７）。例えば、端末は、Ｌ個の個別ネットワークを介して、コンテンツのデータを受信した場合、データを受信した後、Ｌ個の通信方式毎に受信処理を行う。そして、端末は、受信処理されたデータを統合し、コンテンツを取得する。
【０１５０】
なお、図１２の例では、コンテンツのデータが一つの個別ネットワークを介して送信されているが、コンテンツのデータは、複数の個別ネットワークを介して送信されてもよい。また、図１２の例では、端末がリンク情報をプロキシサーバーに伝達するために経由する個別ネットワークと、コンテンツのデータの要求を行うために経由する個別ネットワークと、端末にコンテンツのデータを送信するために経由する個別ネットワークとが互いに同一の個別ネットワークである場合を示しているが、互いに異なっていてもよい。
【０１５１】
なお、図１２の通信状態の詳細については、図８に示したとおりである。また、図１２で説明した端末は、図２に示した構成を有する。そして、図１２で説明した上位プロキシサーバーは、図４に示した構成を有する。また、図１２で説明したＳ１２０４の動作は、図４の無線通信方式選択部４０８が担う。そして、Ｓ１２０５の動作は、図４の送信データ振り分け部４０２が担う。
【０１５２】
受信データ解析および受信データ振り分け部４０５は、第１の個別ネットワークからの受信データ４０４＿１、第２の個別ネットワークからの受信データ４０４＿２、・・・、第Ｎの個別ネットワークからの受信データ４０４＿Ｎ、および、制御信号４０９を入力とする。そして、受信データ解析および受信データ振り分け部４０５は、制御信号４０９に基づき、受信データの解析、および、受信データの振り分けを行い、受信データ４０６を出力する。この構成により、受信データ解析および受信データ振り分け部４０５は、図１２のＳ１２０１、Ｓ１２０３における受信動作を担う。
【０１５３】
なお、受信データ解析および受信データ振り分け部４０５には、第１の個別ネットワークからの受信データ４０４＿１、第２の個別ネットワークからの受信データ４０４＿２、・・・、第Ｎの個別ネットワークからの受信データ４０４＿Ｎが、すべて入力されるとは限らない。受信データ解析および受信データ振り分け部４０５には、端末８１０から変調信号を受信した個別ネットワークからの受信データのみが入力される。受信データ解析および受信データ振り分け部４０５における、受信データの解析、および、受信データの振り分けの制御方法についての情報は、制御信号４０９に含まれているものとする。
【０１５４】
次に、図１０、図１１、図１２を用いて説明したコンテンツの送信方法について、図７を用いて説明する。
【０１５５】
例えば、図１１に基づき、上位ネットワーク＃Ｚの上位プロキシサーバーが、端末がアクセス可能な通信局を含む個別ネットワークとして、「第１の通信局を含む第１の個別ネットワーク、第２の通信局を含む第２の個別ネットワーク、第４の通信局を含む第４の個別ネットワーク」を登録したものとする。
【０１５６】
そして、図１２に基づいて、上位ネットワーク＃Ｚの上位プロキシサーバーが、「コンテンツのデータを第１の通信局を含む第１の個別ネットワークと第４の通信局を含む第１の個別ネットワークを介して送信する」と、上位ネットワーク＃Ｚの上位プロキシサーバーが選択したものとする。この選択は、図４の無線通信方式選択部４０８により行われる。
【０１５７】
この場合に、本実施の形態において、図４に示した構成を有する上位プロキシサーバーの図４の送信データ振り分け部４０２が送信データを振り分ける様子を、図７を用いて説明する。
【０１５８】
図７（Ａ）は、図４の送信データ４０１の様子、図７（Ｂ）は、図４の第１の個別ネットワークへの送信データ４０３＿１の様子、図７（Ｃ）は、図４の第１の個別ネットワークへの送信データ４０３＿１４の様子を示している。図７（Ａ）〜（Ｃ）における横軸は時間を示している。
【０１５９】
図７（Ａ）に示しているように、横軸時間に対し、データ＃１、データ＃２、データ＃３、・・・のように図４の送信データ振り分け部４０２に入力されるものとする。なお、データは、ビット単位、バイト単位、パケット単位、フレーム単位、いずれであってもよい。
【０１６０】
そして、図４の送信データ振り分け部４０２は、データ＃１を第１の通信局を含む第１の個別ネットワークを介して送信すると決定する。したがって、図７（Ｂ）のようになる。
【０１６１】
同様に、図４の送信データ振り分け部４０２は、データ＃２、データ＃３、データ＃７、データ＃９、・・・を第１の通信局を含む第１の個別ネットワークを介して送信すると決定する。したがって、図７（Ｂ）のようになる。
【０１６２】
また、図４の送信データ振り分け部４０２は、データ＃４を第４の通信局を含む第４の個別ネットワークを介して送信すると決定する。したがって、図７（Ｃ）のようになる。
【０１６３】
同様に、図４の送信データ振り分け部４０２は、データ＃５、データ＃６、データ＃８、データ＃１０、・・・を第４の通信局を含む第４の個別ネットワークを介して送信すると決定する。したがって、図７（Ｃ）のようになる。
【０１６４】
本実施の形態において、図４に示した構成を有する上位プロキシサーバーの図４の送信データ振り分け部４０２は、第１の個別ネットワークに、図７（Ｂ）に示すデータを振り分け、第４の個別ネットワークに、図７（Ｃ）に示すデータを振り分ける。第１の個別ネットワークに含まれる第１の通信局および第４の個別ネットワークに含まれる第４の通信局は、それぞれ、振り分けられたデータを端末に送信する。
【０１６５】
ここで、端末から送信要求されたコンテンツに関するデータは、コンテンツの本体データの情報ビットを含む情報パケットと、コンテンツの本体データの誤り訂正のために付加されたパリティビットを含むパリティパケットとを含んでいてもよい。この場合、コンテンツに対するデータに対して、誤り訂正符号により符号化が行われることになる。なお、このレイヤーで導入する誤り訂正符号をアプリケーションレイヤーＦＥＣ（Forward Error Correction）と呼ぶ。そして、以降で説明する通信局では、例えば、無線により伝送するために、再度、誤り訂正符号による符号化が行われる。つまり、物理層（ＰＨＹレイヤー）での誤り訂正符号化が行われる。情報パケットとパリティパケットとを送信する場合、情報パケットを送信する通信局を含む個別ネットワークと、パリティパケットを送信する通信局を含む個別ネットワークとは異なっていてもよい。情報パケットとパリティパケットとを異なる個別ネットワークを介して受信することにより、端末装置における受信処理が複雑にならずにすむ。
【０１６６】
なお、アプリケーションレイヤーＦＥＣを導入しない場合、コンテンツ本体から、例えば、パケットが生成されることになる。
【０１６７】
以上のように、複数の無線通信方式の変調信号を送信及び受信することができる通信端末は、上位ネットワークに存在する上位プロキシサーバーとの間で、リンクが確立できている通信局を含む個別ネットワークに関するリンク情報を共有する。そして、上位プロキシサーバーは、リンク情報に基づいて、複数の通信局に対し、要求されたコンテンツのデータを端末に送信するように指示する。これにより、端末は、複数の通信方式に対応する複数の通信局を介して、コンテンツのデータを得るため、データ伝送速度を効率よく向上させることができる。さらに、周波数利用効率が向上するという効果を得ることができる。
【０１６８】
なお、本実施の形態では、図３で説明したように、通信方式として、無線ＬＡＮ、Ｂｌｕｅｔｏｏｔｈ（登録商標）、第三世代携帯電話、第四世代携帯電話を例に説明したが、これらに限ったものではなく、他の無線通信方式が、同時送信する通信方式の一つに選ばれても、本実施の形態は、同様に実施することができる。
【０１６９】
なお、本実施の形態で、プロキシサーバーと記載したが、プロキシサーバーが、サーバーであってもよい。また、サーバーがプロキシサーバーであってもよい。よって、プロキシサーバー、または、サーバーが含まれていないというような構成であってもよい。
【０１７０】
また、本実施の形態で、上位プロキシサーバーと記載したが、上位プロキシサーバーが、上位サーバーであってもよい。また、上位サーバーが上位プロキシサーバーであってもよい。よって、上位プロキシサーバー、または、上位サーバーが含まれていないというような構成であってもよい。
【０１７１】
当然であるが、本明細書において説明した実施の形態、その他の内容を複数組み合わせて、実施してもよい。
【０１７２】
また、各実施の形態、その他の内容については、あくまでも例であり、例えば、「変調方式、誤り（消失）訂正符号化方式（使用する誤り訂正符号、符号長、符号化率等）、制御情報など」を例示していても、別の「変調方式、誤り（消失）訂正符号化方式（使用する誤り訂正符号、符号長、符号化率等）、制御情報など」を適用した場合でも同様の構成で実施することが可能である。
【０１７３】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。
【０１７４】
また、無線通信方式における伝送方法としては、送信装置が一つのアンテナ、受信装置が一つ以上のアンテナで信号を受信する伝送方法（ＳＩＳＯ（Single-Input Single-Output）伝送方法、ＳＩＭＯ（SIngle-Input Multiple-Output）伝送方法）であってもよいし、また、送信装置が複数ストリームを送信し、受信装置が１つ以上のアンテナで変調信号を受信する方式（ＭＩＭＯ（Multiple-Input Multiple-Output）伝送方式、ＭＩＳＯ（Multiple-Input Single-Output）伝送方式）を用いてもよい。また、時空間ブロック符号、時空間トレリス符号を用いてもよい（このとき、ＯＦＤＭなどのマルチキャリア方式を用いているとき、シンボルを時間軸方向に並べてもよいし、周波数軸方向に並べてもよいし、周波数―時間軸方向に並べてもよい）。
【０１７５】
本発明は上記の実施の形態で説明した内容に限定されず、本発明の目的とそれに関連又は付随する目的を達成するためのいかなる形態においても実施可能であり、例えば、以下であってもよい。
【０１７６】
（１）上記の各実施の形態で説明した通信局側の通信装置の動作の手順をプログラムに記載し、当該プログラムを予めＲＯＭ（Read Only Memory）に格納しておき、ＣＰＵ（Central Processing Unit）がＲＯＭに記憶された当該プログラムを読み出して実行するようにしてもよい。また、通信局側の通信装置の動作の手順を記載したプログラムをコンピュータで読み取り可能な記憶媒体に格納し、記憶媒体に格納されたプログラムをコンピュータのＲＡＭ（Random Access Memory）に記憶して、コンピュータのＣＰＵがＲＡＭに記憶された当該プログラムを読み出して実行するようにしてもよい。
【０１７７】
（２）上記の各実施の形態などの各構成は、典型的には集積回路であるＬＳＩ（Large Scale Integration）として実現されてもよい。これらは、個別に１チップ化されてもよいし、各実施の形態の全ての構成または一部の構成を含むように１チップ化されてもよい。
【０１７８】
ここでは、ＬＳＩとしたが、集積度の違いにより、ＩＣ（Integrated Circuit）、システムＬＳＩ、スーパーＬＳＩ、ウルトラＬＳＩと呼称されることもある。
【０１７９】
また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０１８０】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０１８１】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本発明における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。
【０１８２】
また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０１８３】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行うことになる。
【０１８４】
また、制御情報用のシンボルは、（アプリケーション等の）データ以外の通信を実現するための、通信相手に伝送する必要がある情報（例えば、通信に用いている変調方式・誤り（消失）訂正符号化方式・誤り（消失）訂正符号化方式の符号化率、上位レイヤーでの設定情報等）を伝送するためのシンボルである。
【０１８５】
送信装置、受信装置に対し、送信方法（ＭＩＭＯ、ＳＩＳＯ、時空間ブロック符号、インタリーブ方式）、変調方式、誤り訂正符号化方式、パケットレベルの誤り（消失）訂正方式を通知する必要があるが、実施の形態によってはこの点についての記載を省略している。なお、送信装置が送信するフレームに、これらの情報を伝送するシンボルが存在することになり、受信装置はこれを得ることで、動作を変更することになる。
【０１８６】
なお、本発明は各実施の形態に限定されず、種々変更して実施することが可能である。例えば、各実施の形態では、通信装置として行う場合について説明しているが、これに限られるものではなく、この通信方法をソフトウェアとして行うことも可能である。
【産業上の利用可能性】
【０１８７】
本発明は、例えば、複数の無線通信方式の変調信号を送信及び受信することができる通信端末が、ネットワークに存在するプロキシサーバーとネゴシエーションを行うことで、ネットワークから効率よくデータを送信するように、複数の通信局が複数の変調信号送信し、通信端末は、複数の変調信号を受信し、データを得ることで、周波数利用効率を向上させるのに有用である。
【符号の説明】
【０１８８】
１０２，９０２  サーバー
１０４，９０４  プロキシサーバー
１０７−１〜１０７−Ｎ  第１〜第Ｎの通信局
１１０，８１０  端末
２０２  送信データ解析部
２０５  送信制御部
２０７＿１〜２０７＿Ｎ  第１〜第Ｎの送信部
２０９＿１〜２０９＿Ｎ  第１〜第Ｎの送信アンテナ
２１０＿１〜２１０＿Ｎ  第１〜第Ｎの受信アンテナ
２１２＿１〜２１２＿Ｎ  第１〜第Ｎの受信部
２１４  受信データ解析部
２１７  受信制御部
４０２  送信データ振り分け部
４０５  受信データ解析および受信データ振り分け部
４０８  無線通信方式選択部
８０２  上位サーバー
８０４  上位プロキシサーバー
８０７＿１〜８０７＿Ｎ  第１〜第Ｎの個別ネットワーク
８９９  上位ネットワーク
９０６  第ｉの通信局
【図１】
2017017883.tif 000003
【図２】
2017017883.tif 000004
【図３】
2017017883.tif 000005
【図４】
2017017883.tif 000006
【図５】
2017017883.tif 000007
【図６】
2017017883.tif 000008
【図７】
2017017883.tif 000009
【図８】
2017017883.tif 000010
【図９】
2017017883.tif 000011
【図１０】
2017017883.tif 000012
【図１１】
2017017883.tif 000013
【図１２】
2017017883.tif 000014
【国際調査報告】
2017017883.tif 000015
2017017883.tif 000016
2017017883.tif 000017
2017017883.tif 000018